(57)【要約】【課題】住人の在宅管理を好適に行うことが可能な建物の施解錠システムを提供する。【解決手段】建物１０には、玄関口１５を開閉する玄関ドア１６が設けられ、その玄関ドア１６には屋内側及び屋外側にそれぞれドアノブ１７ａ，１７ｂが設けられている。また、玄関ドア１６には、施錠装置１８が設けられている。各ドアノブ１７ａ，１７ｂにはそれぞれ、人がドアノブ１７ａ，１７ｂに触れたことを検知するドアノブセンサ２３ａ，２３ｂが設けられている。コントローラは、これらドアノブセンサ２３ａ，２３ｂのいずれかによりドアノブ１７ａ，１７ｂに対する人の接触が検知された場合に、通信装置１９により受信した電子キー２０からのＩＤ情報に基づき、施錠装置１８を解錠する。そして、施錠装置１８の解錠が各ドアノブセンサ２３ａ，２３ｂのうちいずれによる検知によって行われたかに基づき、住人が外出するか又は帰宅するかを判定する。【選択図】      図１
2019094642.tif 000002
【特許請求の範囲】
【請求項１】
建物の出入口を開閉するとともに屋内側及び屋外側にそれぞれ取っ手を有する出入口扉を施解錠する施錠装置と、
前記建物の住人により携帯され、固有の識別情報を送信する電子キーと、
前記出入口の屋内外に跨がる所定範囲を通信可能範囲として前記電子キーと無線通信可能とされている通信装置と、を備え、
前記通信装置により受信した前記電子キーからの前記識別情報に基づいて、前記施錠装置の施解錠を行う建物の施解錠システムであって、
前記出入口扉の前記各取っ手にそれぞれ設けられ、前記取っ手が人により接触又は操作されたことを検知する取っ手検知手段と、
前記各取っ手検知手段のいずれかにより前記取っ手に対する接触又は操作が検知された場合に、前記通信装置により受信した前記電子キーからの前記識別情報に基づき、前記施錠装置を解錠する解錠制御手段と、
前記各取っ手検知手段のいずれによる検知があったことで前記解錠制御手段により前記施錠装置が解錠されたかに基づき、住人が外出するのか又は帰宅するのかを判定する外出帰宅判定手段と、を備えることを特徴とする建物の施解錠システム。
【請求項２】
前記電子キーは、複数の住人によりそれぞれ所持されており、
それら各住人の前記電子キーはそれぞれ住人固有の前記識別情報を送信するものであり、
前記通信装置により受信した前記電子キーからの前記識別情報に基づき、外出又は帰宅する住人が誰であるのかを特定する住人特定手段と、
前記各住人ごとに、住人が前記建物に在宅しているか否かに関する在宅情報を記憶する記憶手段と、
前記外出帰宅判定手段の判定結果に基づいて、前記住人特定手段により特定された住人について、前記記憶手段に記憶されている在宅情報を更新する更新処理を実施する在宅情報更新手段と、を備えることを特徴とする請求項１に記載の建物の施解錠システム。
【請求項３】
前記住人特定手段は、前記解錠制御手段により前記施錠装置が解錠された後に前記通信装置により受信した前記電子キーからの前記識別情報に基づき、外出又は帰宅する住人を特定することを特徴とする請求項２に記載の建物の施解錠システム。
【請求項４】
前記解錠制御手段により前記施錠装置が解錠された後、前記出入口扉が開放されているか否か判定する扉開判定手段を備え、
前記住人特定手段は、前記扉開判定手段により前記出入口扉が開放されていると判定されている間に前記通信装置により受信した前記電子キーからの前記識別情報に基づき、外出又は帰宅する住人を特定することを特徴とする請求項３に記載の建物の施解錠システム。
【請求項５】
前記解錠制御手段により前記施錠装置が解錠された後に、前記出入口扉が開閉されたことを判定する手段を備え、
前記在宅情報更新手段は、前記出入口扉が開閉されたと判定された場合に、前記更新処理を実施することを特徴とする請求項２乃至４のいずれか一項に記載の建物の施解錠システム。
【請求項６】
前記解錠制御手段により前記施錠装置が解錠された後に、当該施錠装置が施錠操作されたことを判定する施錠操作判定手段を有し、
前記在宅情報更新手段は、当該施錠装置が施錠操作されたと判定された場合に、前記更新処理を実施することを特徴とする請求項２乃至５のいずれか一項に記載の建物の施解錠システム。
【請求項７】
前記施錠操作判定手段は、前記施錠装置が屋内側又は屋外側のいずれから施錠操作されたかについても判定し、
前記在宅情報更新手段は、前記外出帰宅判定手段により住人が外出するとの判定がされた場合には、前記施錠装置が屋外側から施錠操作されたと判定されたことを条件に前記更新処理を実施し、前記外出帰宅判定手段により住人が帰宅するとの判定がされた場合には、前記施錠装置が屋内側から施錠操作されたと判定されたことを条件に前記更新処理を実施することを特徴とする請求項６に記載の建物の施解錠システム。
【発明の詳細な説明】
【技術分野】
【０００１】
本発明は、建物の施解錠システムに関する。
【背景技術】
【０００２】
住宅等の建物では、無線機能を有する電子キーを用いてドアに設けられた施錠装置の施解錠を行う施解錠システムが実用化されている。かかる施解錠システムでは、例えば、ドア付近で建物の住人により電子キーの操作ボタンが操作されると、その電子キーから建物側に識別情報が発信される。そして、その識別情報が建物側で受信されると、建物側ではその識別情報に基づき予め登録された電子キーであるか否かの認証が行われ、予め登録された電子キーであるとの認証が行われるとドアに設けられた施錠装置が解錠されるようになっている。
【０００３】
また、電子キーを用いた施解錠システムとして、特許文献１には、ドアにおける屋内側のノブにタッチセンサが内蔵され、そのセンサにより住人がノブに触れたことが検知されると、建物側から電子キーに識別情報の送信を要求するリクエスト信号が送信されるものが開示されている。このシステムでは、住人が所持する電子キーにより上記のリクエスト信号が受信されると、その応答として電子キーから識別情報が建物側に送信され、その識別情報が建物側にて受信されると予め登録された電子キーであるか否かの認証が建物側で行われるようになっている。そして、予め登録された電子キーであるとの認証が行われると、施錠装置が施錠されるようになっている。かかるシステムによれば、住人が外出するに際しては、屋内側のドアノブに触れるだけで施錠装置が解錠されるため、施錠装置の解錠を行う上で利便性の向上を図ることができる。
【０００４】
また、特許文献１の施解錠システムでは、タッチセンサの検知に基づき施錠装置が解錠された場合に、住人が建物から外出しようとしていると判定する外出判定処理を行うこととしている。
【先行技術文献】
【特許文献】
【０００５】
【特許文献１】特開２０１０−２４６０５６号公報
【発明の概要】
【発明が解決しようとする課題】
【０００６】
ところで、建物における防犯性の観点等からすると、住人が今現在建物に在宅しているか否かを逐次把握（管理）することが望ましい。また、住人が在宅しているか否かを把握するには、住人の外出及び帰宅を都度把握する必要がある。ここで、住人の外出及び帰宅を把握するにあたっては、施解錠システムを利用することが考えられる。例えば、上記特許文献１の施解錠システムを利用することが考えられる。
【０００７】
この点について、上記特許文献１の施解錠システムでは、上述したように、タッチセンサの検知に基づく施錠装置の解錠時に外出判定処理を行うこととしている。しかしながら、上記特許文献１には、施錠装置の解錠時に、住人の帰宅を判定する判定処理を行う点については何も開示がされていない。このため、上記特許文献１のシステムでは、住人の外出については把握することができるものの、住人の帰宅については把握することができない。このため、当該システムを用いて住人の在不在管理（すなわち在宅管理）を行うのは難しいと考えられる。
【０００８】
本発明は、上記事情に鑑みてなされたものであり、住人の在宅管理を好適に行うことが可能な建物の施解錠システムを提供することを主たる目的とするものである。
【課題を解決するための手段】
【０００９】
上記課題を解決すべく、第１の発明の建物の施解錠システムは、建物の出入口を開閉するとともに屋内側及び屋外側にそれぞれ取っ手を有する出入口扉を施解錠する施錠装置と、前記建物の住人により携帯され、固有の識別情報を送信する電子キーと、前記出入口の屋内外に跨がる所定範囲を通信可能範囲として前記電子キーと無線通信可能とされている通信装置と、を備え、前記通信装置により受信した前記電子キーからの前記識別情報に基づいて、前記施錠装置の施解錠を行う建物の施解錠システムであって、前記出入口扉の前記各取っ手にそれぞれ設けられ、前記取っ手が人により接触又は操作されたことを検知する取っ手検知手段と、前記各取っ手検知手段のいずれかにより前記取っ手に対する接触又は操作が検知された場合に、前記通信装置により受信した前記電子キーからの前記識別情報に基づき、前記施錠装置を解錠する解錠制御手段と、前記各取っ手検知手段のいずれによる検知があったことで前記解錠制御手段により前記施錠装置が解錠されたかに基づき、住人が外出するのか又は帰宅するのかを判定する外出帰宅判定手段と、を備えることを特徴とする。
【００１０】
本発明によれば、出入口扉の各取っ手に設けられた取っ手検知手段のいずれかにより取っ手に対する人の接触又は操作が検知された場合に、住人の携帯する電子キーから受信した識別情報に基づいて施錠装置が解錠される。これにより、住人が外出する際も帰宅する際も、住人が取っ手に触れるか又は操作することで施錠装置が解錠されるため、外出時及び帰宅時の双方において解錠の際の利便性向上を図ることができる。
【００１１】
また、各取っ手検知手段のいずれで取っ手に対する接触又は操作が検知されたかに基づき、住人が外出するのか又は帰宅するのかが判定される。具体的には、屋内側の取っ手に対する接触又は操作が検知された場合には住人が外出すると判定され、屋外側の取っ手に対する接触又は操作が検知された場合には住人が帰宅すると判定される。この場合、住人の帰宅外出を判定することで、住人が建物に在宅しているか否かを把握することが可能となるため、施解錠システムを用いて住人の在宅管理を好適に行うことが可能となる。
【００１２】
第２の発明の建物の施解錠システムは、第１の発明において、前記電子キーは、複数の住人によりそれぞれ所持されており、それら各住人の前記電子キーはそれぞれ住人固有の前記識別情報を送信するものであり、前記通信装置により受信した前記電子キーからの前記識別情報に基づき、外出又は帰宅する住人が誰であるのかを特定する住人特定手段と、前記各住人ごとに、住人が前記建物に在宅しているか否かに関する在宅情報を記憶する記憶手段と、前記外出帰宅判定手段の判定結果に基づいて、前記住人特定手段により特定された住人について、前記記憶手段に記憶されている在宅情報を更新する更新処理を実施する在宅情報更新手段と、を備えることを特徴とする。
【００１３】
本発明によれば、建物に住む各住人がそれぞれ住人固有の識別情報を送信する電子キーを所持しており、その電子キーから受信した識別情報に基づき、外出又は帰宅する住人が誰であるかが特定される。また、その特定された住人について、外出帰宅判定手段の判定結果に基づき、在宅情報（在宅しているか否かに関する情報）の更新が行われる。これにより、建物に住む各住人の在宅管理を好適に行うことが可能となる。
【００１４】
第３の発明の建物の施解錠システムは、第２の発明において、前記住人特定手段は、前記解錠制御手段により前記施錠装置が解錠された後に前記通信装置により受信した前記電子キーからの前記識別情報に基づき、外出又は帰宅する住人を特定することを特徴とする。
【００１５】
ところで、住人が建物に帰宅又は外出する際には、複数の住人（例えば家族）が一緒に帰宅又は外出する場合が考えられる。その場合、複数の住人のうちいずれか一の住人の電子キーにより（詳しくは当該キーの識別情報に基づき）施錠装置が解錠され、その後、その解錠された出入口扉を開いて、各住人が帰宅又は外出することになると考えられる。そこで本発明では、その点に鑑み、施錠装置が解錠された後に電子キーから受信した識別情報に基づき、外出又は帰宅する住人を特定するようにしている。これにより、複数の住人が一緒に外出又は帰宅する場合において、それら各住人を好適に特定することが可能となる。
【００１６】
第４の発明の建物の施解錠システムは、第３の発明において、前記解錠制御手段により前記施錠装置が解錠された後、前記出入口扉が開放されているか否か判定する扉開判定手段を備え、前記住人特定手段は、前記扉開判定手段により前記出入口扉が開放されていると判定されている間に前記通信装置により受信した前記電子キーからの前記識別情報に基づき、外出又は帰宅する住人を特定することを特徴とする。
【００１７】
本発明によれば、出入口扉が開放されている間に電子キーから受信した識別情報に基づき、外出又は帰宅する住人が特定される。この場合、出入口扉を開いて各住人が外出又は帰宅する（つまり建物に出入りする）際、それら各住人の電子キーから受信する識別情報に基づき、住人の特定が行われる。これにより、複数の住人が外出又は帰宅する際、それら各住人を確実に特定することが可能となる。
【００１８】
第５の発明の建物の施解錠システムは、第２乃至第４のいずれかの発明において、前記解錠制御手段により前記施錠装置が解錠された後に、前記出入口扉が開閉されたことを判定する手段を備え、前記在宅情報更新手段は、前記出入口扉が開閉されたと判定された場合に、前記更新処理を実施することを特徴とする。
【００１９】
施錠装置が解錠された後、住人は出入口扉を開閉して帰宅又は外出すると考えられる。そこで本発明では、施錠装置の解錠後に、出入口扉が開閉されたことを条件に住人の在宅情報を更新することとしている。この場合、住人が実際に帰宅又は外出したことをもって、在宅情報が更新されるため、精度の高い在宅管理を行うことができる。
【００２０】
第６の発明の建物の施解錠システムは、第２乃至第５のいずれかの発明において、前記解錠制御手段により前記施錠装置が解錠された後に、当該施錠装置が施錠操作されたことを判定する施錠操作判定手段を有し、前記在宅情報更新手段は、当該施錠装置が施錠操作されたと判定された場合に、前記更新処理を実施することを特徴とする。
【００２１】
施錠装置が解錠された後、住人は出入口扉を開いて帰宅又は外出し、その後出入口扉を閉め施錠装置を施錠することになると考えられる。そこで本発明では、施錠装置の解錠後に、当該施錠装置が施錠操作された場合に住人の在宅情報を更新するようにしている。この場合にも、住人が帰宅又は外出したことをもって、住人の在宅情報が更新されるため、精度の高い在宅管理を行うことができる。
【００２２】
第７の発明の建物の施解錠システムは、第６のいずれかの発明において、前記施錠操作判定手段は、前記施錠装置が屋内側又は屋外側のいずれから施錠操作されたかについても判定し、前記在宅情報更新手段は、前記外出帰宅判定手段により住人が外出するとの判定がされた場合には、前記施錠装置が屋外側から施錠操作されたと判定されたことを条件に前記更新処理を実施し、前記外出帰宅判定手段により住人が帰宅するとの判定がされた場合には、前記施錠装置が屋内側から施錠操作されたと判定されたことを条件に前記更新処理を実施することを特徴とする。
【００２３】
本発明によれば、住人が外出するとの判定がされた場合には、屋外側から施錠操作されたことを条件に在宅情報が更新され、住人が帰宅するとの判定がされた場合には、屋内側から施錠操作されたことを条件に在宅情報が更新される。これにより、住人が確実に帰宅又は外出したことをもって在宅情報が更新されるため、より精度の高い在宅管理を行うことができる。
【図面の簡単な説明】
【００２４】
【図１】玄関周辺を示す平面図。
【図２】施解錠システムの電気的構成を示す図。
【図３】制御処理の流れを示すフローチャート。
【図４】ドア解錠処理を示すフローチャート。
【図５】住人特定処理を示すフローチャート。
【図６】在宅情報更新処理を示すフローチャート。
【発明を実施するための形態】
【００２５】
以下に、本発明を具体化した一実施の形態について図面を参照しつつ説明する。なお、図１は玄関周辺を示す平面図である。
【００２６】
図１に示すように、建物１０には、屋内スペースとして、玄関１１や廊下１２、居室１３等が設けられている。玄関１１には、出入口としての玄関口１５が設けられている。この玄関口１５を通じて建物１０への出入りが可能となっている。玄関口１５には、出入口扉としての玄関ドア１６が設けられている。玄関ドア１６は、例えば回動式の開き戸からなる。この玄関ドア１６により玄関口１５が開閉されるようになっている。また、玄関ドア１６には、屋内側及び屋外側にそれぞれ取っ手としてのドアノブ１７が設けられている。なお、玄関ドア１６は、引き戸であってもよい。
【００２７】
玄関ドア１６には、施錠装置１８が設けられている。施錠装置１８は、錠前を電気的に施解錠することで玄関ドア１６の施錠及び解錠（ロック及びアンロック）を行う装置である。施錠装置１８は、建物１０の住人が所持する電子キー２０によって施解錠されるようになっている。また、施錠装置１８は、屋内側（玄関１１側）から施錠操作可能なサムターン１８ａを有しており、このサムターン１８ａの操作によって施錠することも可能となっている。
【００２８】
建物１０には、電子キー２０との間で無線通信が可能な通信装置１９が設けられている。通信装置１９は、例えば玄関ドア１６付近の外壁に設けられている。通信装置１９は、その通信エリアが玄関口１５の屋内側及び屋外側に跨がる所定範囲に設定されており、その通信エリア内にて電子キー２０と通信可能とされている。詳しくは、通信装置１９の通信エリアは、玄関ドア１６の屋内側で住人がドアノブ１７をつかんだ場合、及び、玄関ドア１６の屋外側で住人がドアノブ１７をつかんだ場合のそれぞれで、住人が当該通信エリア内に位置するように設定されている。
【００２９】
続いて、施錠装置１８の施解錠を行う施解錠システムについて説明する。
【００３０】
施解錠システムは、玄関ドア１６周辺に複数のセンサ２１〜２３を備えている。これら各センサ２１〜２３のうち、開閉検知センサ２１は、玄関ドア１６の開閉状態を検知するセンサである。開閉検知センサ２１は、例えば玄関ドア１６の屋内側に設けられている。また、施解錠検知センサ２２は、施錠装置１８が施錠状態にあるか又は解錠状態にあるかを検知するセンサである。施解錠検知センサ２２は、例えば施錠装置１８に内蔵されている。
【００３１】
ドアノブセンサ２３は、ドアノブ１７に人が接触したことを検知するタッチセンサからなる。ドアノブセンサ２３は、例えばドアノブ１７に内蔵されている。ドアノブセンサ２３は、屋内側のドアノブ１７ａと屋外側のドアノブ１７ｂとにそれぞれ設けられている。以下においては、屋内側のドアノブ１７ａに設けられたドアノブセンサ２３の符号にａを付し、屋外側のドアノブ１７ｂに設けられたドアノブセンサ２３の符号にｂを付す。なお、これらドアノブセンサ２３ａ，２３ｂが取っ手検知手段に相当する。
【００３２】
続いて、施解錠システムの電気的構成について図２に基づいて説明する。図２は、施解錠システムの電気的構成を示す図である。
【００３３】
図２に示すように、施解錠システムは、解錠制御手段としてのコントローラ２５を備える。コントローラ２５は、ＣＰＵ等を有する周知のマイクロコンピュータを備えて構成され、例えば玄関１１の壁面に設けられている。
【００３４】
コントローラ２５には、通信装置１９が接続されている。通信装置１９は、建物１０に居住する各住人の携帯する電子キー２０とそれぞれ無線通信が可能とされている。この場合、コントローラ２５は、通信装置１９を介して各住人の電子キー２０と無線通信が可能とされている。
【００３５】
各電子キー２０にはそれぞれ識別情報としてのＩＤ情報が記憶されている。このＩＤ情報は、当該情報が記憶された電子キー２０固有の情報であり、ひいてはその電子キー２０を所持する住人固有の情報となっている。そのため、このＩＤ情報により各住人（の電子キー２０）をそれぞれ識別することが可能となっている。一方、コントローラ２５は、各電子キー２０のＩＤ情報をそれぞれ記憶するＩＤ情報記憶部２６を有している。このＩＤ情報記憶部２６に記憶された各ＩＤ情報はそれぞれ、各電子キー２０に記憶されたＩＤ情報に対応している。
【００３６】
コントローラ２５は、通信装置１９を通じて上述した通信エリアに所定周期で（例えば０．５秒ごとに）リクエスト信号を送信する。リクエスト信号は、電子キー２０に対してＩＤ情報の送信を要求する信号である。電子キー２０を所持する住人が通信エリアに入ると、電子キー２０によりリクエスト信号が受信される。すると、電子キー２０は、そのリクエスト信号の応答としてＩＤ情報を送信する。そして、そのＩＤ情報が通信装置１９により受信されると、そのＩＤ情報が通信装置１９からコントローラ２５に入力される。
【００３７】
コントローラ２５には、各ドアノブセンサ２３ａ．２３ｂが接続されている。コントローラ２５には、これら各ドアノブセンサ２３ａ，２３ｂから逐次検知結果が入力される。コントローラ２５は、施錠装置１８が施錠されている状態において各ドアノブセンサ２３ａ，２３ｂのうちいずれかから（ドアノブ１７に人が接触した旨の）検知結果が入力されると、通信装置１９を通じて受信した電子キー２０からのＩＤ情報に基づき認証処理を行う。認証処理では、コントローラ２５が、電子キー２０から受信したＩＤ情報がＩＤ情報記憶部２６に記憶されているＩＤ情報と一致するか否かの認証（判定）を行う。詳しくは、受信したＩＤ情報がＩＤ情報記憶部２６に記憶されている各ＩＤ情報のうちいずれかと一致するか否かの認証を行う。
【００３８】
コントローラ２５には、施錠装置１８が接続されている。コントローラ２５は、上記ＩＤ情報の認証結果に基づいて、施錠装置１８に解錠信号を出力し、当該施錠装置１８を解錠制御する。すなわち、コントローラ２５は、認証処理の結果、電子キー２０からのＩＤ情報がＩＤ情報記憶部２６に記憶されているＩＤ情報と一致する場合、つまり認証ＯＫの場合には施錠装置１８を解錠し、電子キー２０からのＩＤ情報がＩＤ情報記憶部２６に記憶されているＩＤ情報と一致しない場合、つまり認証ＮＧの場合には施錠装置１８を施錠状態のままとする。
【００３９】
このように、本施解錠システムでは、施錠装置１８の施錠状態において、住人等により屋内側のドアノブ１７ａ及び屋外側のドアノブ１７ａのうちいずれかが触れられると（タッチされると）、そのドアノブ１７への接触が対応するドアノブセンサ２３ａ（２３ｂ）により検知され、その検知に基づき電子キー２０から受信したＩＤ情報の認証処理が行われるようになっている。そして、その認証の結果、認証ＯＫである場合に施錠装置１８が解錠されるようになっている。したがって、本施解錠システムでは、住人が帰宅する際には、住人が屋外側のドアノブ１７ｂに触れるだけで施錠装置１８を解錠することが可能となっている。また、住人が外出する際には、住人が屋内側のドアノブ１７ａに触れるだけで施錠装置１８を解錠することが可能となっている。
【００４０】
また、コントローラ２５は、施錠装置１８が解錠されている状態において、屋外側のドアノブセンサ２３ｂから（ドアノブ１７ｂに人が接触した旨の）検知結果が入力されると、通信装置１９を通じて受信した電子キー２０からのＩＤ情報に基づき認証処理を行う。そして、コントローラ２５は、その認証処理の結果に基づき、施錠装置１８に施錠信号を出力し、当該施錠装置１８を施錠制御する。つまり、コントローラ２５は、認証処理の結果、認証ＯＫの場合には施錠装置１８を施錠し、認証ＮＧの場合には施錠装置１８を解錠状態のままとする。
【００４１】
したがって、本施解錠システムでは、施錠装置１８の解錠状態において、屋外側のドアノブ１７ｂが住人等により触れられると（タッチされると）、そのドアノブ１７ｂへの接触がドアノブセンサ２３ｂにより検知され、その検知に基づき電子キー２０から受信したＩＤ情報の認証処理が行われるようになっている。そのため、本施解錠システムでは、住人が外出する際に施錠装置１８を施錠する場合には、住人が屋外側のドアノブ１７ｂに触れるだけで施錠することが可能となっている。
【００４２】
また、本施解錠システムでは、住人が帰宅する際に施錠装置１８を施錠する場合には、住人が施錠装置１８のサムターン１８ａを屋内側で施錠操作することにより施錠するようになっている。
【００４３】
ここで、本施解錠システムでは、上述した施錠装置１８の施解錠に加え、各住人が建物１０に在宅しているか否かを管理する在宅管理を行うこととしている。そこで、以下では、その在宅管理に関する構成について説明する。
【００４４】
コントローラ２５は、電子キー２０から受信したＩＤ情報の認証処理に基づき施錠装置１８を解錠した場合に、その解錠が各ドアノブセンサ２３ａ，２３ｂのうちいずれの検知に基づき行われたかによって、住人が外出するのか又は帰宅するのかを判定する外出帰宅判定処理を行う。この外出帰宅判定処理では、すなわち、住人が施錠装置１８を解錠する際、住人により各ドアノブ１７ａ，１７ｂのうちいずれのドアノブ１７が触れられたかによって、住人が外出するのか又は帰宅するのかを判定する。
【００４５】
コントローラ２５は、上記外出帰宅判定処理に加え、帰宅又は外出する住人が誰であるのかを特定する住人特定処理を行う。この住人特定処理は、通信装置１９を通じて電子キー２０から受信したＩＤ情報に基づき行われる。
【００４６】
コントローラ２５は、住人が在宅しているか否かに関する在宅情報を記憶する在宅情報記憶部２７を有している。在宅情報記憶部２７には、各住人の在宅情報がそれぞれ記憶されている。なお、在宅情報記憶部２７が記憶手段に相当する。
【００４７】
コントローラ２５は、外出帰宅判定処理の判定結果に基づき、住人特定処理により特定された住人について、在宅情報記憶部２７に記憶されている在宅情報を更新する在宅情報更新処理を行う。この更新処理では、外出帰宅判定処理により住人が外出するとの判定がされた場合には、在宅情報記憶部２７に記憶されている在宅情報を不在である旨の情報に更新する。一方、外出帰宅判定処理により住人が帰宅するとの判定がされた場合には、在宅情報記憶部２７に記憶されている在宅情報を在宅である旨の情報に更新する。
【００４８】
コントローラ２５には、開閉検知センサ２１と施解錠検知センサ２２とが接続されている。コントローラ２５には、これら各センサ２１，２２から逐次検知結果が入力される。コントローラ２５は、これら各センサ２１，２２からの検知結果に基づき、在宅情報記憶部２７に記憶されている在宅情報の更新処理を行う。
【００４９】
次に、コントローラ２５により実行される制御処理について図３に示すフローチャートに基づき説明する。なお、本処理は所定の周期で繰り返し実行される。
【００５０】
図３に示すように、まずステップＳ１１では、ドア解錠処理を行う。そこで、このドア解錠処理についてまず図４に示すフローチャートに基づき説明する。なお、ドア解錠処理の開始時においては施錠装置１８が施錠状態とされている。
【００５１】
図４に示すように、ドア解錠処理では、まずステップＳ３１において、各ドアノブセンサ２３ａ，２３ｂからの検知結果に基づき、各ドアノブ１７ａ，１７ｂのうちいずれかに人（例えば住人）が触れたか否かを判定する。各ドアノブ１７ａ，１７ｂのいずれかに人が触れた場合にはステップＳ３２に進み、いずれのドアノブ１７ａ，１７ｂにも触れていない場合には本処理を終了する。
【００５２】
ステップＳ３２では、通信装置１９からのリクエスト信号の応答として電子キー２０から送信されるＩＤ情報を、通信装置１９を通じて受信したか否かを判定する。詳しくは、本ステップでは、電子キー２０からＩＤ情報を受信したか否かの判定を所定時間の間（例えば５秒程度）繰り返し行い、その所定時間内に電子キー２０からＩＤ情報を受信したか否かを判定する。電子キー２０からＩＤ情報を受信していない場合には本処理を終了し、電子キー２０からＩＤ情報を受信した場合にはステップＳ３３に進む。
【００５３】
ステップＳ３３では、電子キー２０から受信したＩＤ情報の認証処理を行う。認証処理では、上述したように、受信したＩＤ情報がＩＤ情報記憶部２６に記憶されている（いずれかの）ＩＤ情報と一致するか否かの認証（判定）を行う。認証処理の結果、電子キー２０から受信したＩＤ情報がＩＤ情報記憶部２６に記憶されているいずれかのＩＤ情報と一致する場合、つまり認証ＯＫの場合にはステップＳ３４を肯定判定し、ステップＳ３５に進む。一方、電子キー２０から受信したＩＤ情報がＩＤ情報記憶部２６に記憶されているいずれのＩＤ情報とも一致しない場合、つまり認証ＮＧの場合には本処理を終了する。
【００５４】
ステップＳ３５では、施錠装置１８に解錠信号を出力することで、施錠装置１８を解錠する。これにより、住人は玄関ドア１６を開いて建物１０に帰宅又は外出することが可能となる。その後、本処理を終了する。
【００５５】
図３の説明に戻って、上記ドア解錠処理（ステップＳ１１）の後、ステップＳ１２に進み、当該解錠処理において施錠装置１８が解錠されたか否かを判定する。すなわち、ここでは、ドア解錠処理におけるステップＳ３５の処理、つまり施錠装置１８の解錠処理が行われたか否かを判定する。施錠装置１８の解錠処理が行われていない場合、つまり施錠装置１８が施錠状態のままである場合には本処理を終了する。一方、施錠装置１８が解錠された場合にはステップＳ１３に進む。
【００５６】
ステップＳ１３では、住人が外出するのか又は帰宅するのかを判定する外出帰宅判定処理を行う（外出帰宅判定手段に相当）。この判定処理では、ドア解錠処理（図４）のステップＳ３１に際し人（つまり住人）が各ドアノブ１７ａ，１７ｂのうちいずれのドアノブ１７に触れたかによって、住人が外出するのか又は帰宅するのかを判定する。換言すると、ステップＳ３１において各ドアノブセンサ２３ａ，２３ｂのうちいずれのセンサ２３でドアノブ１７への接触検知がされたかによって、住人が外出するのか又は帰宅するのかを判定する。具体的には、本ステップでは、住人が各ドアノブ１７ａ，１７ｂのうち、屋内側のドアノブ１７ａに触れていた場合には、住人が外出すると判定し、住人が屋外側のドアノブ１７ｂに触れていた場合には、住人が帰宅すると判定する。
【００５７】
続くステップＳ１４では、外出又は帰宅する住人が誰であるかを特定する住人特定処理を行う。以下、この住人特定処理について図５に示すフローチャートに基づき説明する。
【００５８】
図５に示すように、住人特定処理では、まずステップＳ４１において解錠タイマをセットする。この解錠タイマは、施錠装置１８が解錠してからの経過時間を計測するものである。続くステップＳ４２では、その解錠タイマにより計測された経過時間が所定時間を超えたか否かを判定する。つまり、ここでは、施錠装置１８が解錠されてから所定時間が経過したか否かを判定する。なお、所定時間は、施錠装置１８が解錠されてから、住人が玄関ドア１６を開くのに要する時間よりも十分長い時間に設定され、例えば１５秒程度に設定されている。
【００５９】
施錠装置１８が解錠されてから所定時間が経過していない場合には、ステップＳ４３に進み、開閉検知センサ２１からの検知結果に基づき、玄関ドア１６が開放されている（開かれている）か否かを判定する（扉開判定手段に相当）。玄関ドア１６が開放されている場合にはステップＳ４４に進む。この場合、住人が玄関口１５を通じて帰宅又は外出しようとしていると判断することができる。
【００６０】
一方、玄関ドア１６が閉鎖している（閉まっている）場合には、ステップＳ４２に戻り、上記所定時間が経過するまでステップＳ４２及びステップＳ４３の各処理を繰り返す。そして、上記所定時間が経過した場合には本処理を終了する。この場合、施錠装置１８が解錠されたにもかかわらず、住人は玄関ドア１６を開いて外出又は帰宅しなかったものとみなすことができる。
【００６１】
ステップＳ４４では、通信装置１９からのリクエスト信号の応答として電子キー２０から送信されるＩＤ情報を受信したか否かを判定する。つまり、ここでは、玄関ドア１６を開いて玄関口１５より外出又は帰宅する住人の電子キー２０より送信されるＩＤ情報を受信したか否かを判定する。電子キー２０からＩＤ情報を受信した場合にはステップＳ４５に進み、電子キー２０からＩＤ情報を受信していない場合にはステップＳ４６に進む。
【００６２】
ステップＳ４５では、電子キー２０から受信したＩＤ情報に基づいて、外出又は帰宅する住人が誰であるかを特定する住人特定処理を行う（住人特定手段に相当）。
【００６３】
ステップＳ４６では、開閉検知センサ２１からの検知結果に基づいて、玄関ドア１６が閉鎖された（閉められた）か否かを判定する。玄関ドア１６が閉められた場合にはステップＳ４７に進み、玄関ドア１６が開閉（動作）されたことを示すドア開閉フラグをセットする。その後、本処理を終了する。
【００６４】
一方、玄関ドア１６がまだ閉められていない場合にはステップＳ４４に戻って、再度ステップＳ４４及びステップＳ４５の各処理を行う。つまり、ここでは、玄関ドア１６が閉められるまで、換言すると玄関ドア１６が開放されている間中、ステップＳ４４及びＳ４５の各処理を繰り返し行う。
【００６５】
ここで、住人が外出又は帰宅する際には、複数の住人（例えば家族全員）が一緒に帰宅又は外出する場合があると考えられる。この場合、玄関ドア１６が開かれている間に、各住人が順次、玄関口１５を通じて帰宅又は外出（建物１０に出入り）することになると考えられる。このような場合、玄関口１５を通じて帰宅又は外出する各住人の電子キー２０から送信されるＩＤ信号を都度受信し（ステップＳ４４でＹＥＳ判定）、その受信したＩＤ情報に基づき都度住人の特定を行うことになる（ステップＳ４５）。したがって、複数の住人が外出又は帰宅する際には、ステップＳ４４及びＳ４５の各処理が繰り返されることで、各住人がそれぞれ誰であるかが特定されるようになっている。
【００６６】
再び図３の説明に戻って、上記住人特定処理（ステップＳ１４）の後、ステップＳ１５に進み、在宅情報更新処理を行う。この在宅情報更新処理では、外出帰宅判定処理の判定結果に基づき、在宅情報記憶部２７に記憶されている住人の在宅情報を更新する。以下、この在宅情報更新処理について図６に示すフローチャートに基づき説明する。
【００６７】
図６に示すように、在宅情報更新処理では、まずステップＳ５１においてドア開閉フラグがセットされているか否かを判定する。ドア開閉フラグがセットされていない場合にはステップＳ６３に進み、施錠装置１８に施錠信号を出力することで、当該施錠装置１８を施錠する。これにより、施錠装置１８が解錠されたにもかかわらず、住人が外出又は帰宅しない場合には施錠装置１８が自動で施錠される。その後、本処理を終了する。
【００６８】
ドア開閉フラグがセットされている場合にはステップＳ５２に進み、ドア閉タイマをセットする。ドア閉タイマは、玄関ドア１６が閉められてからの経過時間を計測するものである。続くステップＳ５３では、そのドア閉タイマにより計測された経過時間が所定時間を超えたか否かを判定する。つまり、ここでは、玄関ドア１６が閉まってから所定時間が経過したか否かを判定する。なお、所定時間は、玄関ドア１６が閉まってから、住人が施錠装置１８を施錠（施錠操作）するのに要する時間よりも十分長い時間に設定され、例えば１５秒程度に設定されている。
【００６９】
玄関ドア１６が閉められてから所定時間が経過していない場合にはステップＳ５４に進み、ドアノブセンサ２３ｂからの検知結果に基づき、屋外側のドアノブ１７ｂに住人が触れたか否かを判定する。つまり、住人が施錠装置１８を施錠すべく、ドアノブ１７ｂに触れたか否かを判定する。換言すると、住人により屋外側から施錠装置１８に対する施錠操作が行われたか否かを判定する。
【００７０】
屋外側のドアノブ１７ｂに住人が触れた場合には、ステップＳ５８に進み、通信装置１９から送信されるリクエスト信号の応答として電子キー２０から送信されるＩＤ情報を受信したか否かを判定する。詳しくは、本ステップでは、電子キー２０からＩＤ情報を受信したか否かの判定を所定時間の間繰り返し行い、その所定時間内に電子キー２０からＩＤ情報を受信したか否かを判定する。なお、所定時間は、例えば５分程度に設定されている。
【００７１】
電子キー２０からＩＤ情報を受信していない場合には本処理を終了する。一方、電子キー２０からＩＤ情報を受信した場合にはステップＳ５９に進み、そのＩＤ情報の認証処理を行う。この認証処理は、上述したドア解錠処理（図４）における認証処理（ステップＳ３３）と同様の処理であるため、ここではその説明を割愛する。
【００７２】
ＩＤ情報の認証処理の結果、認証ＮＧである場合にはステップＳ６０を否定判定し、本処理を終了する。一方、認証ＯＫである場合にはステップＳ６０を肯定判定し、ステップＳ６１に進む。ステップＳ６１では、施錠装置１８に施錠信号を出力することで、当該施錠装置１８を施錠する。その後、ステップＳ６２に進む。
【００７３】
先のステップＳ５４において、屋外側のドアノブ１７ｂに住人が触れていない場合には、ステップＳ５５に進む。ステップＳ５５では、施解錠検知センサ２２からの検知結果に基づき、施錠装置１８が解錠状態から施錠状態とされたか否かを、つまり住人によりサムターン１８ａによる施錠装置１８の施錠操作が行われたか否かを判定する。換言すると、住人により屋内側から施錠装置１８に対する施錠操作が行われたか否かを判定する。住人によりサムターン１８ａによる施錠操作が行われ、施錠装置１８が施錠された場合にはステップＳ５６に進む。
【００７４】
一方、住人によりサムターン１８ａによる施錠操作が行われていない場合にはステップＳ５３に戻り、所定時間（ステップＳ５３）が経過するまでステップＳ５３〜Ｓ５５の各処理を繰り返し行う。そして、上記所定時間が経過した場合には、ステップＳ６３に進み、施錠装置１８を施錠する。これにより、玄関ドア１６が閉められたにもかかわらず、住人により施錠装置１８が施錠操作されない場合には、施錠装置１８が自動で施錠されるようになっている。
【００７５】
なお、ステップＳ５４及びステップＳ５５の各処理により、「屋内側又は屋外側のいずれから施錠装置１８が施錠操作されたかを判定する施錠操作判定手段」が構成されている。
【００７６】
続いて、ステップＳ６２とステップＳ５６との各処理について説明する。まずステップＳ６２の処理について説明すると、ステップＳ６２に進む場合とは、住人により屋外側から施錠装置１８の施錠操作が行われ（ステップＳ５４でＹＥＳ判定）、それにより施錠装置１８が施錠された場合（ステップＳ６１）である。そして、ステップＳ６２では、上述した外出帰宅判定処理（ステップＳ１３）において、住人が外出する旨の判定が行われたか否かを判定する。外出帰宅判定処理において、住人が外出する旨の判定が行われていない場合（つまり住人が帰宅する旨の判定が行われた場合）には本処理を終了する。一方、住人が外出する旨の判定が行われた場合には、ステップＳ５７に進む。つまり、住人が外出する旨の判定が行われ、かつ、屋外側から施錠装置１８の施錠操作が行われている場合にはステップＳ５７に進む。
【００７７】
次に、ステップＳ５６の処理について説明すると、ステップＳ５６に進む場合とは、住人により屋内側からサムターン１８ａによる施錠装置１８の施錠操作が行われ（ステップＳ５５でＹＥＳ判定）、それにより施錠装置１８が施錠された場合である。そして、ステップＳ５６では、上述した外出帰宅判定処理（ステップＳ１３）において、住人が帰宅する旨の判定が行われたか否かを判定する。外出帰宅判定処理において、住人が帰宅する旨の判定が行われていない場合（つまり住人が外出する旨の判定が行われた場合）には本処理を終了する。一方、住人が帰宅する旨の判定が行われた場合には、ステップＳ５７に進む。つまり、住人が帰宅する旨の判定が行われ、かつ、屋内側から施錠装置１８の施錠操作が行われている場合にはステップＳ５７に進む。
【００７８】
ステップＳ５７では、在宅情報更新処理を行う（在宅情報更新手段に相当）。この更新処理では、外出帰宅判定処理（ステップＳ１３）の結果に基づき、住人特定処理（ステップＳ１４）により特定された住人について、在宅情報記憶部２７に記憶されている在宅情報を更新する。例えば、住人特定処理により複数の住人が特定された場合には、それら各住人の在宅情報をそれぞれ更新する。その後、本処理を終了する。
【００７９】
ここで、本建物１０においては、在宅情報記憶部２７に記憶されている各住人の在宅情報に基づいて、例えば建物１０の警戒を行う警戒制御が実行されるようになっている。その警戒制御について簡単に説明すると、コントローラ２５は、在宅情報記憶部２７に記憶されている各住人の在宅情報に基づき、建物１０内がいずれの住人も在宅していない不在状態であるか否かを判定する不在判定処理を実施し、その不在判定処理により建物１０内が不在状態であると判定した場合に所定の警戒制御を実行する。
【００８０】
具体的には、建物１０には、警戒システムとして、建物１０内に不審者が侵入したことを検知する侵入検知センサと、その侵入した不審者に警報を発する警報部とを備えたものが設けられている。そして、コントローラ２５は、上記警戒制御として、侵入検知センサにより不審者の検知があった場合に、警報部よりその不審者に警報を発する制御を実行する。この場合、建物１０内が不在状態になると、自動で警戒制御が実行されるため、建物１０の警戒を行う上で利便性の向上を図ることができる。
【００８１】
以上、詳述した本実施形態の構成によれば、以下の優れた効果が得られる。
【００８２】
玄関ドア１６の各ドアノブ１７ａ，１７ｂに設けられたドアノブセンサ２３ａ，２３ｂのいずれかによりドアノブ１７に対する接触が検知された場合に、住人の携帯する電子キー２０から受信したＩＤ情報に基づき施錠装置１８を解錠するようにした。これにより、住人が外出する際も帰宅する際も、住人がドアノブ１７ａ，１７ｂに触れることで施錠装置１８が解錠されるため、外出時及び帰宅時の双方において解錠の際の利便性向上を図ることができる。
【００８３】
また、各ドアノブセンサ２３ａ，２３ｂのうちいずれによりドアノブ１７ａ，１７ｂに対する接触が検知されたかに基づき、換言すると、各ドアノブ１７ａ，１７ｂのうちいずれのドアノブ１７に人が触れたかに基づき、住人が外出するのか又は帰宅するのか判定するようにした。具体的には、屋内側のドアノブ１７ａに対する接触を検知した場合には住人が外出すると判定し、屋外側のドアノブ１７ｂに対する接触を検知した場合には住人が帰宅すると判定するようにした。この場合、住人の帰宅外出を判定することで、住人が建物に在宅しているか否かを把握することが可能となるため、施解錠システムを用いて住人の在宅管理を好適に行うことが可能となる。
【００８４】
建物１０に住む各住人がそれぞれ住人固有のＩＤ情報を送信する電子キー２０を所持する構成にあって、電子キー２０から受信したＩＤ情報に基づき、外出又は帰宅する住人が誰であるか特定するようにした。また、その特定した住人について、外出帰宅判定手段の判定結果に基づき、在宅情報記憶部２７に記憶されている当該住人の在宅情報（在宅しているか否かに関する情報）を更新するようにした。これにより、建物１０に住む各住人の在宅管理を好適に行うことが可能となる。
【００８５】
施錠装置１８が解錠された後に玄関ドア１６が開放されているか否かを判定し（ステップＳ４３）、玄関ドア１６が開放されていると判定されている間に電子キー２０から受信したＩＤ情報に基づき、外出又は帰宅する住人を特定するようにした。この場合、複数の住人（例えば家族）が一緒に帰宅又は外出する場合において、それら各住人が玄関ドア１６を開いて外出又は帰宅する（つまり建物１０に出入りする）際に、それら各住人の電子キー２０から受信したＩＤ情報に基づき、各住人の特定を行うことができる。これにより、複数の住人が外出又は帰宅する際、それら各住人をそれぞれ特定することが可能となる。
【００８６】
施錠装置１８が解錠された後、住人は玄関ドア１６を開閉して帰宅又は外出すると考えられる。そこで、上記の実施形態では、施錠装置１８の解錠後に玄関ドア１６が開閉（動作）された場合に、玄関ドア１６が開閉されたことを示すドア開閉フラグをセットし（ステップＳ４７）、そのドア開閉フラグがセットされていることを条件に（ステップＳ５１でＹＥＳ判定された場合に）住人の在宅情報を更新するようにした。この場合、住人が実際に帰宅又は外出したことをもって、在宅情報が更新されるため、精度の高い在宅管理を行うことができる。
【００８７】
施錠装置１８が解錠された後、住人は玄関ドア１６を開いて帰宅又は外出し、その後玄関ドア１６を閉め施錠装置１８を施錠（操作）することになると考えられる。そこで、上記の実施形態では、施錠装置１８の解錠後に、当該施錠装置１８が施錠操作された場合（ステップＳ５４又はＳ５５でＹＥＳ判定された場合）に住人の在宅情報を更新するようにした。この場合にも、住人が帰宅又は外出したことをもって、住人の在宅情報が更新されるため、精度の高い在宅管理を行うことができる。
【００８８】
具体的には、外出帰宅判定処理（ステップＳ１３）において住人が外出するとの判定がされた場合には（ステップＳ６２においてＹＥＳ判定）、屋外側から施錠操作されたことを条件に（ステップＳ５４においてＹＥＳ判定された場合に）在宅情報を更新し、住人が帰宅するとの判定がされた場合には（ステップＳ５６においてＹＥＳ判定）、屋内側から施錠操作されたことを条件に（ステップＳ５５においてＹＥＳ判定された場合に）在宅情報を更新するようにした。これにより、住人が確実に帰宅又は外出したことをもって在宅情報が更新されるため、より精度の高い在宅管理を行うことができる。
【００８９】
本発明は上記実施形態に限らず、例えば次のように実施されてもよい。
【００９０】
（１）上記実施形態では、玄関ドア１６が開かれている間に電子キー２０から受信したＩＤ情報に基づいて、外出又は帰宅する住人を特定したが、これを変更して、例えば施錠装置１８が解錠されてから所定時間が経過するまでに電子キー２０から受信したＩＤ情報に基づき、外出又は帰宅する住人を特定するようにしてもよい。この場合にも、施錠装置１８が解錠された後、玄関ドア１６を開いて外出又は帰宅する各住人を好適に特定することが可能となる。
【００９１】
また、ＩＤ情報の認証の際に、電子キー２０から受信するＩＤ情報（ステップＳ３２）に基づき、外出又は帰宅する住人を特定してもよい。但し、この場合、外出又は帰宅する住人として、解錠操作する住人のみが特定されることになるため、複数の住人が外出又は帰宅する際においてはそれら各住人をそれぞれ特定することが不可となる。そのため、その点を鑑みると、上記実施形態のように、玄関ドア１６の開放中に電子キー２０から受信したＩＤ情報に基づき、外出又は帰宅する住人を特定するのが望ましい。
【００９２】
（２）上記実施形態では、住人が外出するとの判定がされた場合には、屋外側から施錠装置１８が施錠操作されたことを条件に、在宅情報記憶部２７に記憶されている住人の在宅情報を更新し、住人が帰宅するとの判定がされた場合には、屋内側から施錠装置１８が施錠操作されたことを条件に、住人の在宅情報を更新するようにしたが、これを変更してもよい。例えば、屋外側からの施錠操作、及び屋内側からの施錠操作を問わず、施錠装置１８に対して施錠操作された場合には（つまりステップＳ５４又はＳ５５のいずれかでＹＥＳ判定された場合には）、一律に在宅情報を更新するようにしてもよい。この場合にも、施錠装置１８の施錠後に在宅情報が更新されるため、住人が帰宅又は外出したことをもって、住人の在宅情報が更新される。このため、精度の高い在宅管理を行うことができる。
【００９３】
また、玄関ドア１６が開閉（動作）された場合には（ステップＳ５１でＹＥＳ判定された場合には）、施錠装置１８に対する施錠操作の有無を問わず一律に在宅情報を更新するようにしてもよい。この場合にも、住人が実際に玄関ドア１６を開いて帰宅又は外出したことをもって、在宅情報が更新されるため、精度の高い在宅管理を行うことができる。
【００９４】
（３）上記実施形態では、取っ手検知手段として、人がドアノブ１７に接触したことを検知するドアノブセンサ２３を設けたが、これに代えて、取っ手検知手段として、人がドアノブ１７を開方向に回転操作したことを検知するセンサや、人がドアノブ１７を押し操作したことを検知するセンサ等を設けてもよい。この場合、住人が施錠装置１８を解錠する際、ドアノブ１７を回転操作したり、押し操作したりすることになる。かかるセンサを設ける場合にも、センサを屋内側及び屋外側の各ドアノブ１７ａ，１７ｂに設けることで、上記実施形態の場合と同様、屋内側及び屋外側の各センサのうちいずれで検知されたかによって、住人が外出するか帰宅するかを判定することができる（外出帰宅判定処理）。
【００９５】
なお、屋内側のドアノブ１７ａに上記実施形態におけるドアノブセンサ２３ａ（接触センサ）を設け、屋外側のドアノブ１７ｂには当該ノブ１７ｂに対する回転操作や押し操作を検知する上述のセンサを設ける等、各ドアノブ１７ａ，１７ｂに設けるセンサを異ならせてもよい。
【００９６】
（４）上記実施形態では、玄関ドア１６の取っ手がドアノブ１７となっていたが、玄関ドア１６の取っ手としては、ノブ以外に、レバー式のものや上下に延びるバータイプのもの等様々なものがある。そこで、このようなノブ以外の取っ手を有する玄関ドアに本発明を適用してもよい。その場合にも、その取っ手に対して、当該取っ手に対する接触を検知する接触センサ等を取っ手検知手段として設ければよい。
【００９７】
（５）上記実施形態では、在宅情報記憶部２７に記憶されている各住人の在宅情報に基づいて、建物１０の警戒制御を実行するようにしたが、これに代えて又は加えて、例えば在宅情報記憶部２７に記憶されている各住人の在宅情報を住人の携帯する携帯端末（携帯電話機やスマートフォンなど）に通知（送信）するようにしてもよい。例えば、コントローラ２５が、携帯端末からの要求により又は予め定められた所定時刻になると、在宅情報記憶部２７に記憶されている各住人の在宅情報を読み出し、それら読み出した在宅情報を通信装置１９を通じて住人の携帯端末に送信するようにすることが考えられる。この場合、携帯端末を携帯する住人は、外出先からでも他の住人の在宅状況を把握することが可能となる。
【００９８】
また、外出帰宅判定処理（ステップＳ１３）の判定結果（つまり住人が外出するのか帰宅するのかに関する外出帰宅情報）をそのまま住人の携帯端末に送信するようにしてもよい。この場合、住人特定処理（ステップＳ１４）により特定された各住人の外出帰宅情報を携帯端末に送信することが考えられる。その場合、携帯端末を携帯する住人は外出先から、他の住人が外出したか帰宅したかを逐次把握することができるため、上記同様、他の住人の在宅状況を把握することができる。
【００９９】
（６）上記実施形態では、住人が帰宅する際に施錠装置１８を施錠する場合には、サムターン１８ａを屋内側で施錠操作することにより施錠するようにしたが、これに代えて又は加えて、住人が屋内側のドアノブ１７ａに触れると施錠装置１８が施錠されるようにしてもよい。つまり、施錠装置１８の解錠状態において、屋内側のドアノブ１７ａが住人により触れられると、そのドアノブ１７ａへの接触がドアノブセンサ２３ａにより検知され、その検知に基づき電子キー２０から受信したＩＤ情報の認証処理が行われるようにする。そして、その認証処理の結果、認証ＯＫである場合に、施錠装置１８を施錠するようにする。この場合、住人が外出する場合に加え、住人が帰宅する際にも、住人がドアノブ１７に触れるだけで施錠することが可能となる。
【０１００】
また、上記の場合、施錠装置１８の解錠状態において、ドアノブセンサ２３ａからの検知結果に基づき、住人が屋内側のドアノブ１７ａに触れたか否かを判定することで、屋内側から施錠装置１８に対する施錠操作が行われたか否かを判定することが考えられる。
【０１０１】
（７）上記実施形態では、住人が外出する際に施錠装置１８を解錠する場合には、住人が屋内側のドアノブ１７ａに触れたことに基づき施錠装置１８を解錠するようにしたが、これに代えて又は加えて、サムターン１８ａによる解錠操作によって施錠装置１８を解錠できるようにしてもよい。
【０１０２】
この場合、施解錠検知センサ２２からの検知結果に基づき、施錠装置１８が施錠状態から解錠状態にされたか否かを判定するようにする。つまり、住人により屋内側からサムターン１８ａによる解錠操作が行われたか否かを判定するようにする。そして、解錠操作が行われたと判定した場合には、ステップＳ１３において住人が外出すると判定するようにする。そして、その判定後は、上記実施形態と同様、住人特定処理（ステップＳ１４）と、在宅情報更新処理（ステップＳ１５）とを行うようにする。
【０１０３】
（８）上記実施形態では、玄関口１５に設けられた玄関ドア１６に本発明の施解錠システムを適用したが、例えば勝手口に設けられたドア等、他の出入口に設けられたドア（出入口扉）に本発明の施解錠システムを適用してもよい。
【符号の説明】
【０１０４】
１０…建物、１５…出入口としての玄関口、１６…出入口扉としての玄関ドア、１７ａ，１７ｂ…取っ手としてのドアノブ、１８…施錠装置、１９…通信装置、２０…電子キー、２３ａ，２３ｂ…取っ手検知手段としてのドアノブセンサ、２５…コントローラ、２７…記憶手段としての在宅情報記憶部。
【図１】
2019094642.tif 000003
【図２】
2019094642.tif 000004
【図３】
2019094642.tif 000005
【図４】
2019094642.tif 000006
【図５】
2019094642.tif 000007
【図６】
2019094642.tif 000008